(57)【要約】【課題】  バランスを保ちながらボールを転がして楽しむことが可能な運動玩具を提供する。【解決手段】  運動玩具１は、第１上面１１ａと第１下面１１ｂが第１多角形を有する第１多角柱形状を有する第１ピース１１と、第２上面１２ａと第２下面１２ｂが第２多角形を有する第２多角柱形状を有する第２ピース１２とを有するボード部１０と、ボール２０とを備える。第１ピース１１における第１上面１１ａと第１下面１１ｂの少なくとも一方には、第１多角形を構成する辺のうち少なくとも２つと連通する第１溝が設けられる。第２ピース１２における第２上面１２ａと第２下面１２ｂの少なくとも一方には、第２多角形を構成する辺のうち少なくとも２つと連通する第２溝が設けられる。第１ピース１１と第２ピース１２は、第１溝と第２溝が連通するように接続される。ボール２０は、第１溝と第２溝を転がるように載置される。【選択図】  図６
2020130560.tif 000002
【特許請求の範囲】
【請求項１】
第１上面と第１下面が第１多角形を有する第１多角柱形状を有する第１ピースと、第２上面と第２下面が第２多角形を有する第２多角柱形状を有する第２ピースとを有するボード部と、
ボールとを備え、
前記第１ピースにおける前記第１上面と前記第１下面の少なくとも一方には、前記第１多角形を構成する辺のうち少なくとも２つと連通する第１溝が設けられ、
前記第２ピースにおける前記第２上面と前記第２下面の少なくとも一方には、前記第２多角形を構成する辺のうち少なくとも２つと連通する第２溝が設けられ、
前記第１ピースと前記第２ピースは、前記第１溝と前記第２溝が連通するように接続され、
前記ボールは、前記第１溝と前記第２溝を転がるように載置される、運動玩具。
【請求項２】
前記第１ピースには、一方の端部が前記第１多角形を構成する辺と接しないで、且つ、他方の端部が前記第１溝と連通する行き止まり溝が設けられる、請求項１に記載の運動玩具。
【請求項３】
前記第１上面には、前記第１溝として、第１上溝が設けられ、
前記第１下面には、前記第１溝として、前記第１上溝と溝のパターンが異なる第１下溝が設けられ、
前記第２上面には、前記第２溝として、第２上溝が設けられ、
前記第２下面には、前記第２溝として、前記第２上溝と溝のパターンが異なる第２下溝が設けられ、
前記第１ピースと前記第２ピースは、前記第１上溝が、前記第２上溝と前記第２下溝のいずれか一方と連通し、前記第１下溝が、前記第２上溝と前記第２下溝のいずれか他方と連通するように、接続される、請求項１または２に記載の運動玩具。
【請求項４】
前記第１ピースの側面には、第１凹み部が設けられ、
貼り合わせ部材を介して、前記第１ピースの側面の少なくとも一つと前記第２ピースの側面の少なくとも一つの接続が行われ、
前記第１凹み部であって、前記第２ピースに隠れずに露出したものと、前記第２凹み部であって、前記第１ピースに隠れずに露出したものの、少なくとも一方には、保持部が取り付けられる、請求項１〜３のいずれかに記載の運動玩具。
【請求項５】
前記第１多角形と、前記第２多角形は、同じ大きさの正三角形であり、
前記ボード部は、第３上面と第３下面が前記第１多角形と同じ大きさの正三角形を有する三角柱形状を有する第３ピースと、第４上面と第４下面が前記第１多角形と同じ大きさの正三角形を有する三角柱形状を有する第４ピースと、第５上面と第５下面が前記第１多角形と同じ大きさの正三角形を有する三角柱形状を有する第５ピースと、第６上面と第６下面が前記第１多角形と同じ大きさの正三角形を有する三角柱形状を有する第６ピースとを更に有し、
前記第３ピースにおける前記第３上面と前記第３下面の少なくとも一方には、前記正三角形を構成する辺のうち少なくとも２つと連通する第３溝が設けられ、
前記第４ピースにおける前記第４上面と前記第４下面の少なくとも一方には、前記正三角形を構成する辺のうち少なくとも２つと連通する第４溝が設けられ、
前記第５ピースにおける前記第５上面と前記第５下面の少なくとも一方には、前記正三角形を構成する辺のうち少なくとも２つと連通する第５溝が設けられ、
前記第６ピースにおける前記第６上面と前記第６下面の少なくとも一方には、前記正三角形を構成する辺のうち少なくとも２つと連通する第６溝が設けられ、
前記第２ピースと前記第３ピースは、前記第２溝と前記第３溝が連通するように接続され、
前記第３ピースと前記第４ピースは、前記第３溝と前記第４溝が連通するように接続され、
前記第４ピースと前記第５ピースは、前記第４溝と前記第５溝が連通するように接続され、
前記第５ピースと前記第６ピースは、前記第５溝と前記第６溝が連通するように接続され、
前記第６ピースと前記第１ピースは、前記第６溝と前記第１溝が連通するように接続される、請求項１に記載の運動玩具。
【請求項６】
前記ボード部の底面と側面を覆う受け皿を更に備え、
前記受け皿は、側部と底部を有し、
前記側部は、前記ボード部が嵌め込まれる中空部を有し、
前記側部は、前記ボード部よりも厚い厚さを有する、請求項１〜請求項５のいずれかに記載の運動玩具。
【請求項７】
前記受け皿は、傾き検知部とタイマーの少なくとも一方と、前記傾き検知部と前記タイマーの少なくとも一方からの情報に基づいて音声と光の少なくとも一方を出力する警告部を有する、請求項６に記載の運動玩具。
【請求項８】
前記第１ピースにおける前記第１上面と前記第１下面の少なくとも一方には、前記第１多角形を構成する辺のうち少なくとも１つと連通し、前記第１溝と連通しない凹み領域である第１ボール置き領域が設けられ、
前記第２ピースにおける前記第２上面と前記第２下面の少なくとも一方には、前記第２多角形を構成する辺のうち少なくとも１つと連通し、前記第２溝と連通しない凹み領域である第２ボール置き領域が設けられ、
前記第１ピースと前記第２ピースは、前記第１ボール置き領域と前記第２ボール置き領域が連通し前記側部と接するように接続される、請求項６または請求項７に記載の運動玩具。
【請求項９】
前記第１ピースは、上下に貫通し、前記ボールが通る貫通孔を有し、
前記第１ピースにおける前記第１上面と前記第１下面の少なくとも一方には、前記第１溝よりも幅が大きい幅広凹み領域が設けられる、請求項１〜８のいずれかに記載の運動玩具。
【発明の詳細な説明】
【技術分野】
【０００１】
本発明は、運動玩具に関する。
【背景技術】
【０００２】
特許文献１などで、ボールを転がして楽しむ運動玩具が提案されている。
【先行技術文献】
【特許文献】
【０００３】
【特許文献１】特許第４９００８５９号公報
【発明の概要】
【発明が解決しようとする課題】
【０００４】
しかしながら、ボールが転がらないように保持することを前提となっており、バランスを保ちながらボールを転がす形態ではない。
【０００５】
したがって本発明の目的は、バランスを保ちながらボールを転がして楽しむことが可能な運動玩具を提供することである。
【課題を解決するための手段】
【０００６】
本発明に係る運動玩具は、第１上面と第１下面が第１多角形を有する第１多角柱形状を有する第１ピースと、第２上面と第２下面が第２多角形を有する第２多角柱形状を有する第２ピースとを有するボード部と、ボールとを備え、第１ピースにおける第１上面と第１下面の少なくとも一方には、第１多角形を構成する辺のうち少なくとも２つと連通する第１溝が設けられ、第２ピースにおける第２上面と第２下面の少なくとも一方には、第２多角形を構成する辺のうち少なくとも２つと連通する第２溝が設けられ、第１ピースと第２ピースは、第１溝と第２溝が連通するように接続され、ボールは、第１溝と第２溝を転がるように載置される。
【０００７】
これにより、隣接するピースの溝が連通する状態で、複数のピースが接続される。
従って、上を向いた溝にボールを載置すると、接続された複数のピース（ボード部）の傾き状態に応じて、溝を介してボールを転がす、すなわち、バランスを保ちながらボールをボード部の上で転がして楽しむことが可能になる。
【０００８】
このときに、ボード部を保持する使用者たちの持ち方によって変化するボード部の傾き具合に応じて、ボード部の縁から落ちないようにボールを転がす、若しくは、ボード部の縁から落ちるようにボールを転がすことが出来る。
【０００９】
好ましくは、第１ピースには、一方の端部が第１多角形を構成する辺と接しないで、且つ、他方の端部が第１溝と連通する行き止まり溝が設けられる。
【００１０】
ボード部を保持する使用者たちの持ち方によって変化するボード部の傾き具合に応じて、行き止まり溝に到達しないようにボールを転がす、若しくは、行き止まり溝に到達するようにボールを転がすことが出来る。
【００１１】
また、好ましくは、第１上面には、第１溝として、第１上溝が設けられ、第１下面には、第１溝として、第１上溝と溝のパターンが異なる第１下溝が設けられ、第２上面には、第２溝として、第２上溝が設けられ、第２下面には、第２溝として、第２上溝と溝のパターンが異なる第２下溝が設けられ、第１ピースと第２ピースは、第１上溝が、第２上溝と第２下溝のいずれか一方と連通し、第１下溝が、第２上溝と第２下溝のいずれか他方と連通するように、接続される。
【００１２】
接続するピース、接続するピースの向き、及び上にする面を上面と下面とで切り替えることにより、全体として様々な溝のパターンを用意することが可能になる。
このため、色々なバランスの取り方を考えながら、ボールをボード部の上で転がして楽しむことが可能になる。
【００１３】
また、好ましくは、第１ピースの側面には、第１凹み部が設けられ、貼り合わせ部材を介して、第１ピースの側面の少なくとも一つと第２ピースの側面の少なくとも一つの接続が行われ、第１凹み部であって、第２ピースに隠れずに露出したものと、第２凹み部であって、第１ピースに隠れずに露出したものの、少なくとも一方には、保持部が取り付けられる。
【００１４】
また、好ましくは、第１多角形と、第２多角形は、同じ大きさの正三角形であり、ボード部は、第３上面と第３下面が第１多角形と同じ大きさの正三角形を有する三角柱形状を有する第３ピースと、第４上面と第４下面が第１多角形と同じ大きさの正三角形を有する三角柱形状を有する第４ピースと、第５上面と第５下面が第１多角形と同じ大きさの正三角形を有する三角柱形状を有する第５ピースと、第６上面と第６下面が第１多角形と同じ大きさの正三角形を有する三角柱形状を有する第６ピースとを更に有し、第３ピースにおける第３上面と第３下面の少なくとも一方には、正三角形を構成する辺のうち少なくとも２つと連通する第３溝が設けられ、第４ピースにおける第４上面と第４下面の少なくとも一方には、正三角形を構成する辺のうち少なくとも２つと連通する第４溝が設けられ、第５ピースにおける第５上面と第５下面の少なくとも一方には、正三角形を構成する辺のうち少なくとも２つと連通する第５溝が設けられ、第６ピースにおける第６上面と第６下面の少なくとも一方には、正三角形を構成する辺のうち少なくとも２つと連通する第６溝が設けられ、第２ピースと第３ピースは、第２溝と第３溝が連通するように接続され、第３ピースと第４ピースは、第３溝と第４溝が連通するように接続され、第４ピースと第５ピースは、第４溝と第５溝が連通するように接続され、第５ピースと第６ピースは、第５溝と第６溝が連通するように接続され、第６ピースと第１ピースは、第６溝と第１溝が連通するように接続される。
【００１５】
また、好ましくは、ボード部の底面と側面を覆う受け皿を更に備え、受け皿は、側部と底部を有し、側部は、ボード部が嵌め込まれる中空部を有し、側部は、ボード部よりも厚い厚さを有する。
【００１６】
さらに好ましくは、受け皿は、傾き検知部とタイマーの少なくとも一方と、傾き検知部とタイマーの少なくとも一方からの情報に基づいて音声と光の少なくとも一方を出力する警告部を有する。
【００１７】
また、好ましくは、第１ピースにおける第１上面と第１下面の少なくとも一方には、第１多角形を構成する辺のうち少なくとも１つと連通し、第１溝と連通しない凹み領域である第１ボール置き領域が設けられ、第２ピースにおける第２上面と第２下面の少なくとも一方には、第２多角形を構成する辺のうち少なくとも１つと連通し、第２溝と連通しない凹み領域である第２ボール置き領域が設けられ、第１ピースと第２ピースは、第１ボール置き領域と第２ボール置き領域が連通し側部と接するように接続される。
【００１８】
また、好ましくは、第１ピースは、上下に貫通し、ボールが通る貫通孔を有し、第１ピースにおける第１上面と第１下面の少なくとも一方には、第１溝よりも幅が大きい幅広凹み領域が設けられる。
【発明の効果】
【００１９】
以上のように本発明によれば、バランスを保ちながらボールを転がして楽しむことが可能な運動玩具を提供することができる。
【図面の簡単な説明】
【００２０】
【図１】第１実施形態における運動玩具のボード部で、上面を上にした第１ピース〜第６ピースが接続される前の状態を示す斜視図である。
【図２】第１実施形態における運動玩具のボード部で、上面を上にした第１ピース〜第６ピースが全体として正六角形になるように接続された状態を示す斜視図である。
【図３】第１実施形態における運動玩具のボード部で、下面を上にした第１ピース、第２ピース、第６ピースが、全体として等脚台形になるように接続された第３ピース〜第５ピースに接続される前の状態を示す斜視図である。
【図４】第１実施形態における運動玩具のボード部で、下面を上にした第１ピース〜第６ピースが全体として正六角形にあるように接続された状態を示す斜視図である。
【図５】第１実施形態における運動玩具のボード部で、上面を上にした第１ピース、下面を上にした第２ピース〜第５ピース、及び上面を上にした第６ピースが全体として正六角形になるように接続された状態を示す斜視図である。
【図６】第１実施形態における運動玩具で、ボード部に、ボールが載置され、保持部が設けられた状態を示す斜視図である。
【図７】第２実施形態における運動玩具のボード部で、上面を示す上面図である。
【図８】第２実施形態における運動玩具で受け皿を備えたものの上面図である。
【図９】受け皿の斜視図である。
【図１０】図５に示すボード部が受け皿に載置された状態を示す斜視図である。
【図１１】受け皿の側部を示す斜視図である。
【図１２】受け皿の底部を示す斜視図である。
【発明を実施するための形態】
【００２１】
以下、第１実施形態について、図を用いて説明する。
なお、実施形態は、以下の実施形態に限られるものではない。また、一つの実施形態に記載した内容は、原則として他の実施形態にも同様に適用される。また、各実施形態及び各変形例は、適宜組み合わせることが出来る。
【００２２】
第１実施形態における運動玩具１は、ボード部１０（第１ピース１１〜第６ピース１６）、ボール２０、保持部３０を備える（図１〜図６参照）。
【００２３】
ボード部１０は、多角形形状を有する複数のピースで構成される。
複数のピースは、例えば、中密度繊維板、木質繊維を原料とする繊維成型板の一種であるＭＤＦ（Medium Density Fiberboard）で構成される。
第１実施形態では、ボード部１０が、同じ大きさの外形を有する６枚のピース（第１ピース１１〜第６ピース１６）で構成される例を示すが、ピース部の数は６枚に限るものではない。
【００２４】
第１ピース１１は、板状で、上面（第１上面１１ａ）と下面（第１下面１１ｂ）が正三角形を有する略三角柱形状を有する。
第１上面１１ａには、少なくとも、第１上面１１ａの正三角形を構成する三辺のうち少なくとも２つと連通する溝（第１上溝１１ａ１）が設けられる。
第１上面１１ａの正三角形を構成する辺における第１上溝１１ａ１と接する位置は、当該正三角形と所定の位置関係を有する。
第１実施形態では、当該辺を三等分する位置、すなわち頂点から辺の１／３の距離にある位置に、第１上溝１１ａ１と接する位置が設けられる。
【００２５】
なお、第１上面１１ａには、一方の端部が、第１上面１１ａの正三角形を構成する三辺のいずれとも接しないで、且つ、他方の端部が、第１上溝１１ａ１と連通する溝（第１上行き止まり溝１１ａ２）が設けられても良い。
【００２６】
第１下面１１ｂには、少なくとも第１下面１１ｂの正三角形を構成する三辺のうち少なくとも２つと連通する溝（第１下溝１１ｂ１）が設けられる。
第１下面１１ｂの正三角形を構成する辺における第１下溝１１ｂ１と接する位置は、当該正三角形と所定の位置関係を有する。
第１実施形態では、当該辺を三等分する位置、すなわち頂点から辺の１／３の距離にある位置に、第１下溝１１ｂ１と接する位置が設けられる。
【００２７】
なお、第１下面１１ｂには、一方の端部が、第１下面１１ｂの正三角形を構成する三辺のいずれとも接しないで、且つ、他方の端部が、第１下溝１１ｂ１と連通する溝（第１下行き止まり溝１１ｂ２）が設けられても良い。
【００２８】
後述するボール２０が転がりやすくなるように、溝（第１上溝１１ａ１、第１上行き止まり溝１１ａ２、第１下溝１１ｂ１、第１下行き止まり溝１１ｂ２）の断面は、円弧形状を有するのが望ましい。
【００２９】
第１上面１１ａに設けられる溝（第１上溝１１ａ１、及び第１上行き止まり溝１１ａ２）のパターンと、第１下溝１１ｂ１の溝（第１下溝１１ｂ１，及び第１下行き止まり溝１１ｂ２）のパターンは、異なっているが、同じであってもよい。
第１実施形態では、第１上面１１ａに設けられる溝のパターンは、規則性の無いものである例を示し、第１下面１１ｂに設けられる溝のパターンは、円弧で構成された略規則性があるものである例を示す。
【００３０】
第１ピース１１の側面のそれぞれには、面ファスナーおよび／または磁石などの第１貼り合わせ部材１１ｃ１と、第１凹み部１１ｃ２が設けられる。
第１貼り合わせ部材１１ｃ１は、第２ピース１２などの他のピースとの接続に用いられる。
第１凹み部１１ｃ２は、後述する保持部３０との接続に用いられる。
ただし、第１貼り合わせ部材１１ｃ１を用いずに、第１凹み部１１ｃに接続棒（不図示）を嵌めこむ方法などを使って、第２ピース１２などの他のピースとの接続が行われる形態であってもよい。
【００３１】
第２ピース１２は、第１ピース１１と同様に、板状で、上面（第２上面１２ａ）と下面（第２下面１２ｂ）が正三角形を有する略三角柱形状を有する。
第２上面１２ａには、第１上面１１ａと同様に、第２上溝１２ａ１が設けられる。
第２上面１２ａに設けられる溝のパターンと、第１上面１１ａの溝のパターンは、異なっているが、同じであってもよい。
第２下面１２ｂには、第１下面１１ｂと同様に、第２下溝１２ｂ１が設けられる。
第２下面１２ｂに設けられる溝のパターンと、第１下面１１ｂの溝のパターンは、略同じであるが、異なっていてもよい。
第２ピース１２の側面のそれぞれには、第１ピース１１の側面に設けられた第１貼り合わせ部材１１ｃ１や第１凹み部１１ｃ２と同様に、第２貼り合わせ部材１２ｃ１や第２凹み部１２ｃ２が設けられる。
【００３２】
第３ピース１３は、第１ピース１１と同様に、板状で、上面（第３上面１３ａ）と下面（第３下面１３ｂ）が正三角形を有する略三角柱形状を有する。
第３上面１３ａには、第１上面１１ａと同様に、第３上溝１３ａ１、及び第３上行き止まり溝１３ａ２が設けられる。
第３上面１３ａに設けられる溝のパターンと、第１上面１１ａの溝のパターンは、異なっているが、同じであってもよい。
第３下面１３ｂには、第１下面１１ｂと同様に、第３下溝１３ｂ１が設けられる。
第３下面１３ｂに設けられる溝のパターンと、第１下面１１ｂの溝のパターンは、略同じであるが、異なっていてもよい。
第３ピース１３の側面のそれぞれには、第１ピース１１の側面に設けられた第１貼り合わせ部材１１ｃ１や第１凹み部１１ｃ２と同様に、第３貼り合わせ部材１３ｃ１や第３凹み部１３ｃ２が設けられる。
【００３３】
第４ピース１４は、第１ピース１１と同様に、板状で、上面（第４上面１４ａ）と下面（第４下面１４ｂ）が正三角形を有する略三角柱形状を有する。
第４上面１４ａには、第１上面１１ａと同様に、第４上溝１４ａ１が設けられる。
第４上面１４ａに設けられる溝のパターンと、第１上面１１ａの溝のパターンは、異なっているが、同じであってもよい。
第４下面１４ｂには、第１下面１１ｂと同様に、第４下溝１４ｂ１、及び第４下行き止まり溝１４ｂ２が設けられる。
第４下面１４ｂに設けられる溝のパターンと、第１下面１１ｂの溝のパターンは、略同じであるが、異なっていてもよい。
第４ピース１４の側面のそれぞれには、第１ピース１１の側面に設けられた第１貼り合わせ部材１１ｃ１や第１凹み部１１ｃ２と同様に、第４貼り合わせ部材１４ｃ１や第４凹み部１４ｃ２が設けられる。
【００３４】
第５ピース１５は、第１ピース１１と同様に、板状で、上面（第５上面１５ａ）と下面（第５下面１５ｂ）が正三角形を有する略三角柱形状を有する。
第５上面１５ａには、第１上面１１ａと同様に、第５上溝１５ａ１が設けられる。
第５上面１５ａに設けられる溝のパターンと、第１上面１１ａの溝のパターンは、異なっているが、同じであってもよい。
第５下面１５ｂには、第１下面１１ｂと同様に、第５下溝１５ｂ１が設けられる。
第５下面１５ｂに設けられる溝のパターンと、第１下面１１ｂの溝のパターンは、略同じであるが、異なっていてもよい。
第５ピース１５の側面のそれぞれには、第１ピース１１の側面に設けられた第１貼り合わせ部材１１ｃ１や第１凹み部１１ｃ２と同様に、第５貼り合わせ部材１５ｃ１や第５凹み部１５ｃ２が設けられる。
【００３５】
第６ピース１６は、第１ピース１１と同様に、板状で、上面（第６上面１６ａ）と下面（第６下面１６ｂ）が正三角形を有する略三角柱形状を有する。
第６上面１６ａには、第１上面１１ａと同様に、第６上溝１６ａ１が設けられる。
第６上面１６ａに設けられる溝のパターンと、第１上面１１ａの溝のパターンは、異なっているが、同じであってもよい。
第６下面１６ｂには、第１下面１１ｂと同様に、第６下溝１６ｂ１が設けられる。
第６下面１６ｂに設けられる溝のパターンと、第１下面１１ｂの溝のパターンは、略同じであるが、異なっていてもよい。
第６ピース１６の側面のそれぞれには、第１ピース１１の側面に設けられた第１貼り合わせ部材１１ｃ１や第１凹み部１１ｃ２と同様に、第６貼り合わせ部材１６ｃ１や第６凹み部１６ｃ２が設けられる。
【００３６】
行き止まり溝は、ピースのそれぞれに設けられる形態であってもよいし、一部のピースに設けられる形態であってもよい。
第１実施形態では、第１ピース１１と第３ピース１３と第４ピース１４に、行き止まり溝（第１上行き止まり溝１１ａ２、第１下行き止まり溝１１ｂ２、第３上行き止まり溝１３ａ２、第４下行き止まり溝１４ｂ２）が設けられ、第２ピース１２と第５ピース１５、第６ピース１６に行き止まり溝が設けられない例を示す。
【００３７】
また、ボール２０が溝から飛び出さないようにするため、第１上溝１１ａ１〜第６上溝１６ａ１の溝幅は、ボール２０の直径の０．７倍以上、溝深さは、ボール２０の半径の０．７倍以上であるのが望ましい。
ただし、後述する第２実施形態の第２上通行不能領域１２ａ５は、第４上通行不能領域１４ａ５〜第６上通行不能領域１６ａ５を形成する部分は、溝幅がボール２０の直径の０．７倍未満にされる。
【００３８】
第１ピース１１〜第６ピース１６は、隣接するピースの溝が連通するように、互いの側面を貼り合わせることにより接続される。
【００３９】
このとき、ピースごとに、上面と下面のいずれが上を向く状態で接続されてもよい。
例えば、第１ピース１１と第２ピース１２は、第１上溝１１ａ１が、第２上溝１２ａ１と第２下溝１２ｂ１のいずれか一方と連通し、第１下溝１１ｂ１が、第２上溝１２ａ１と第２下溝１２ｂ１のいずれか他方と連通するように、接続される。
【００４０】
図２は、全ての上面（第１上面１１ａ〜第６上面１６ａ）が上を向く形で、且つ正六角形を構成するように、第１ピース１１〜第６ピース１６が接続された例を示す。
具体的には、第１ピース１１と第２ピース１２は、第１上溝１１ａ１と第２上溝１２ａ１が連通し、第１下溝１１ｂ１と第２下溝１２ｂ１が連通するように接続され、第２ピース１２と第３ピース１３は、第２上溝１２ａ１と第３上溝１３ａ１が連通し、第２下溝１２ｂ１と第３下溝１３ｂ１が連通するように接続され、第３ピース１３と第４ピース１４は、第３上溝１３ａ１と第４上溝１４ａ１が連通し、第３下溝１３ｂ１と第４下溝１４ｂ１が連通するように接続され、第４ピース１４と第５ピース１５は、第４上溝１４ａ１と第５上溝１５ａ１が連通し、第４下溝１４ｂ１と第５下溝が連通するように接続され、第５ピース１５と第６ピース１６は、第５上溝１５ａ１と第６上溝１６ａ１が連通し、第５下溝１５ｂ１と第６下溝１６ｂ１が連通するように接続され、第６ピース１６と第１ピース１１は、第６上溝１６ａ１と第１上溝１１ａ１が連通し、第６下溝１６ｂ１と第１下溝１１ｂ１が連通するように接続される。
【００４１】
図３の左半分は、全ての下面（第３下面１３ｂ〜第５下面１５ｂ）が上を向く形で、且つ等脚台形を構成するように、第３ピース１３〜第５ピース１５が接続された例を示す。
図４は、全ての下面（第１下面１１ｂ〜第６下面１６ｂ）が上を向く形で、且つ正六角形を構成するように、第１ピース１１〜第６ピース１６が接続された例を示す。
【００４２】
図５は、２つの上面（第１上面１１ａと第６上面１６ａ）と４つの下面（第２下面１２ｂ〜第５下面１５ｂ）が上を向く形で、且つ正六角形を構成するように、第１ピース１１〜第６ピース１６が接続された例を示す。
具体的には、第１ピース１１と第２ピース１２は、第１上溝１１ａ１と第２下溝１２ｂ１が連通し、第１下溝１１ｂ１と第２上溝１２ａ１が連通するように接続され、第２ピース１２と第３ピース１３は、第２上溝１２ａ１と第３上溝１３ａ１が連通し、第２下溝１２ｂ１と第３下溝１３ｂ１が連通するように接続され、第３ピース１３と第４ピース１４は、第３上溝１３ａ１と第４上溝１４ａ１が連通し、第３下溝１３ｂ１と第４下溝１４ｂ１が連通するように接続され、第４ピース１４と第５ピース１５は、第４上溝１４ａ１と第５上溝１５ａ１が連通し、第４下溝１４ｂ１と第５下溝１５ｂ１が連通するように接続され、第５ピース１５と第６ピース１６は、第５上溝１５ａ１と第６下溝１６ｂ１が連通し、第５下溝１５ｂ１と第６上溝１６ａ１が連通するように接続され、第６ピース１６と第１ピース１１は、第６上溝１６ａ１と第１上溝１１ａ１が連通し、第６下溝１６ｂ１と第１下溝１１ｂ１が連通するように接続される。
【００４３】
ボール２０は、完全な球体でのものに限定されず、表面に凹凸面があるものであってもよい。
また、ボード部１０に載置されるボール２０の数は１つに限らず、複数であってもよい。
【００４４】
複数のピースが接続されたボード部１０の保持は、ピースの縁を複数の使用者が把持することにより行われる形態であっても良い。また、図６に示すように、他のピースに隠れずに露出した凹み部（第１凹み部〜第６凹み部１１ｃ２〜１６ｃ２）のいずれかに棒状の保持部３０を接続させ、当該保持部３０を使用者が把持することにより行われる形態であってもよい。
なお、保持部３０の形状は、図６に示す円柱形状に限るものではなく、例えばＬ字形状など、他の形状であってもよい。
【００４５】
本実施形態の運動玩具１は、図１〜図６に示すように、隣接するピースの溝が連通する状態で、第１ピース１１〜第６ピース１６が接続される。
従って、上を向いた溝にボール２０を載置すると、接続された複数のピース（ボード部１０）の傾き状態に応じて、溝を介してボールを転がす、すなわち、バランスを保ちながらボール２０をボード部１０の上で転がして楽しむことが可能になる。
【００４６】
このときに、ボード部１０を保持する使用者たちの持ち方によって変化するボード部１０の傾き具合に応じて、行き止まり溝に到達しないようにボール２０を転がす、若しくは、行き止まり溝に到達するようにボール２０を転がす、若しくは、ボード部１０の縁から落ちないようにボール２０を転がす、若しくは、ボード部１０の縁から落ちるようにボール２０を転がすことが出来る。
【００４７】
また、接続するピース、接続するピースの向き、及び上にする面を上面と下面とで切り替えることにより、全体として様々な溝のパターンを用意することが可能になる。
このため、色々なバランスの取り方を考えながら、ボール２０をボード部１０の上で転がして楽しむことが可能になる。
【００４８】
第１実施形態では、ピースのそれぞれが同じ大きさの正三角形の上面と下面を有する三角柱形状であるとして説明したが、これに限るものではない。
例えば、ピースのそれぞれが四角形など他の形状の上面と下面を有する柱形状であってもよい。
また、ピースのそれぞれが異なる大きさであってもよい。
例えば、一部のピースが、正三角形の上面と下面を有する三角柱形状であり、他のピースが、一部のピースの１／４の大きさの正三角形の上面と下面を有する三角柱形状である形態が考えられる。
いずれの場合も、隣接するピースの溝と溝が連通するように、ピースの接続が行われる。
このときに、隣接するピースの頂点同士が接続するように、ピースの接続が行われると、隣接するピースの溝と溝が連通するように、ピースの上面や下面の外形を構成する辺における溝と接する位置を構成するのが望ましい。
【００４９】
また、第１実施形態では、ピースの上面と下面の両方に溝（第１上溝１１ａ１、第１下溝１１ｂ１など）が設けられる形態を説明したが、上面か下面の一方だけに溝が設けられる形態であってもよい。
【００５０】
次に、第２実施形態について説明する（図７参照）。
第２実施形態は、第１上面１１ａ〜第６上面１６ａに設けられる溝のパターンが第１実施形態のものと異なる例を示す。
【００５１】
第１上面１１ａは、第１上溝１１ａ１、第１上幅広凹み領域１１ａ３、第１上凸部１１ａ４、第１上通行不能領域１１ａ５、第１貫通孔１１ａ６、第１上ボール置き領域１１ａ７、第１上窪み１１ａ８を有する。
第２上面１２ａは、第２上溝１２ａ１、第２上行き止まり溝１２ａ２、第２上通行不能領域１２ａ５、第２貫通孔１２ａ６、第２上ボール置き領域１２ａ７を有する。
第３上面１３ａは、第３上溝１３ａ１、第３上幅広凹み領域１３ａ３、第３貫通孔１３ａ６、第３上ボール置き領域１３ａ７、第３上窪み１３ａ８を有する。
第４上面１４ａは、第４上溝１４ａ１、第４上行き止まり溝１４ａ２、第４上通行不能領域１４ａ５、第４貫通孔１４ａ６、第４上ボール置き領域１４ａ７を有する。
第５上面１５ａは、第５上溝１５ａ１、第５上行き止まり溝１５ａ２、第５上通行不能領域１５ａ５、第５貫通孔１５ａ６、第５上ボール置き領域１５ａ７を有する。
第６上面１６ａは、第６上溝１６ａ１、第６上行き止まり溝１６ａ２、第６上通行不能領域１６ａ５、第６貫通孔１６ａ６、第６上ボール置き領域１６ａ７を有する。
【００５２】
なお、第１下面１１ｂ〜第６下面１６ｂについても、同様に通行不能領域などが設けられてもよい。
【００５３】
第２上行き止まり溝１２ａ２、第４上行き止まり溝１４ａ２〜第６上行き止まり溝１６ａ２は、それぞれ、第２上溝１２ａ１、第４上溝１４ａ１〜第６上溝１６ａ１と連通する。
【００５４】
第１上幅広凹み領域１１ａ３は、第１上溝１１ａ１よりも幅が大きい凹み領域である。
第３上幅広凹み領域１３ａ３は、第３上溝１３ａ１よりも幅が大きい凹み領域である。
第１上幅広凹み領域１１ａ３は、第１上溝１１ａ１と同じ深さの凹み領域である。
第３上幅広凹み領域１３ａ３は、第３上溝１３ａ１と同じ深さの凹み領域と、更に深い凹み領域を有する。
【００５５】
第１上凸部１１ａ４は、上方に突出する突起で、第２実施形態では、第１上幅広凹み領域１１ａ３に設けられる例を示すが、第１上溝１１ａ１などに設けられてもよい。
【００５６】
第１上通行不能領域１１ａ５、第２上通行不能領域１２ａ５、第４上通行不能領域１４ａ５〜第６上通行不能領域１６ａ５は、幅が狭くてボール２０が通れない領域である。
第１上通行不能領域１１ａ５、第２上通行不能領域１２ａ５、第４上通行不能領域１４ａ５〜第６上通行不能領域は、図７上では、×印で示されるが、実際には、溝幅を狭くしたり、凸部と他の溝などの壁とで形成される。
第１上通行不能領域１１ａ５は、第１上幅広凹み領域１１ａ３と第１上凸部１１ａ４とで形成される例を示す。
第２上通行不能領域１２ａ５、第４上通行不能領域１４ａ５〜第６上通行不能領域１６ａ５は、それぞれ、第２上溝１２ａ１、第４上溝１４ａ１〜第６上溝１６ａ１の幅が狭くなった領域で形成される例を示す。
【００５７】
第１貫通孔１１ａ６〜第６貫通孔１６ａ６は、ボール２０の直径よりも大きな直径を有する貫通孔である。
【００５８】
図７に示すように、第１上ボール置き領域１１ａ７は、第１上面１１ａの正三角形を構成する三辺のうち少なくとも１つと連通する。第２上ボール置き領域１２ａ７〜第６上ボール置き領域１６ａ７も同様で、第２上面１２ａ〜第６上面１６ａの正三角形を構成する三辺のうち少なくとも１つと連通する。
第１上ボール置き領域１１ａ７〜第６上ボール置き領域１６ａ７は、第１上溝１１ａ１などの通路とは連通しない凹み領域で、ボール２０を載置するために使用される。
第２実施形態では、各ピースの頂点を含む領域に設けられるが、他の領域に設けられてもよい。
【００５９】
ボール２０がこぼれ落ちないようにするため、第１上ボール置き領域１１ａ７〜第６上ボール置き領域１６ａ７を形成する凹み領域は、周囲が壁で囲まれるのが望ましい。図８に示すように、ボード部１０の側面を覆う受け皿４０が設けられる場合には、当該受け皿４０が壁として用いられてもよい。
【００６０】
第１上窪み１１ａ８は、第１上幅広凹み領域１１ａ３に設けられ、第３上窪み１３ａ８は、第３上幅広凹み領域１３ａ３に設けられる。
第１上窪み１１ａ８と第３上窪み１３ａ８は、ボール２０が嵌まるような窪み、例えば、ボール２０と同じ曲率を有する窪みを有する。
【００６１】
第１ピース１１〜第６ピース１６は、第１上ボール置き領域１１ａ７〜第６上ボール置き領域１６ａ７のうち２つと受け皿４０の側部４１と接するように、且つ別の第１上ボール置き領域１１ａ７〜第６上ボール置き領域１６ａ７が連通するように、第１ピース１１〜第６ピースは接続され、受け皿４０に載置される。
【００６２】
第２実施形態では、幅広凹み領域や貫通孔や通行不能領域や窪みを設けることにより、第１実施形態よりもボード部１０を保持する使用者の意図通りにボール２０を転がす難易度の調整しやすくなる。
【００６３】
図６には、棒状の保持部３０を使用者が把持する例を示したが、図８〜図１２には、ボード部１０の底面と側面を覆う受け皿４０を使用者が把持する例を示す。
受け皿４０は、側部４１と底部４２を有する。
【００６４】
側部４１は、ボード部１０の外形と略同じ中空部４１ａを含む、略中空円柱形状を有する。
側部４１は、中空部４１ａの周囲に、使用者が把持するための第１把持孔４１ｂを有する。
ボード部１０の側面を覆い隠し、ボード部１０からボール２０が転げ落ちないようにするため、側部４１は、ボード部１０よりも厚い厚さを有する。
【００６５】
底部４２は、側部４１の下面に設けられ、側部４１の外形と同じ略円盤形状を有する。
底部４２は、側部４１の中空部４１ａと上下方向で対向する領域に、孔（底面孔４２ａ）を有する。
底面孔４２ａは、底部４２の軽量化に貢献する他、受け皿４０に載置したボード部１０を下から押し出して取り外しやすくする。
底面孔４２ａは、それぞれ第１貫通孔１１ａ６〜第６貫通孔１６ａ６のいずれか１以上と連通する位置に設けられていることが好ましい。
底部４２は、側部４１の第１把持孔４１ｂと連通する第２把持孔４２ｂを有する。
【００６６】
側部４１と底部４２は、一体的に構成されてもよいし、別体で構成されてもよい。
【００６７】
側部４１の中空部４１ａを介して、底部４２に、ボード部１０のピース（第１ピース１１〜第６ピース１６）を載置することで、中空部４１ａにボード部１０が嵌め込まれ、ボード部１０のピースをつなぎ合わせることが出来る。
このため、ボード部１０を受け皿４０に嵌めこむ場合、第１貼り合わせ部材１１ｃ１〜第６貼り合わせ部材１６ｃ１と、第１凹み部１１ｃ２〜第６凹み部１６ｃ２を設けなくてもよい。
【００６８】
受け皿４０は、更に、傾き検知部４３、タイマー４４、警告部４５を有してもよい。
傾き検知部４３は、ボード部１０が載置された受け皿４０の傾き度合いを検知する。
タイマー４４は、使用者によって指定されたスタート時点から所定時間を経過したか否かを検知する。
所定時間は、あらかじめ設定された時間（例えば、１分など）でもよいし、使用者が手動で設定した時間であってもよい。
警告部４５は、傾き検知部４３からの情報に基づいて、傾き度合いが所定の角度閾値を超えた場合に、音声や光で警告出力を行う。
また、警告部４５は、タイマー４４からの情報に基づいて、所定時間を経過した場合に、音声や光で警告出力を行う。
傾き検知部４３と警告部４５を設けることにより、ボード部１０の傾き度合いを考慮して、ボール２０をボード部１０の上で転がして楽しむことが可能になる。
タイマー４４と警告部４５を設けることにより、経過時間を考慮して、ボール２０をボード部１０の上で転がして楽しむことが可能になる。
【００６９】
本発明のいくつかの実施形態を説明したが、これらの実施形態は、例として提示したものであり、発明の範囲を限定することは意図していない。これら実施形態は、その他の様々な形態で実施されることが可能であり、発明の要旨を逸脱しない範囲で、種々の省略、置き換え、変更を行うことができる。これら実施形態やその変形は、発明の範囲や要旨に含まれると同様に、特許請求の範囲に記載された発明とその均等の範囲に含まれるものである。
【符号の説明】
【００７０】
１  運動玩具
１０  ボード部
１１〜１６  第１ピース〜第６ピース
１１ａ〜１６ａ  第１上面〜第６上面
１１ａ１〜１６ａ１  第１上溝〜第６上溝
１１ａ２〜１６ａ２  第１上行き止まり溝〜第６上行き止まり溝
１１ａ３、１３ａ３  第１上幅広凹み領域、第３上幅広凹み領域
１１ａ４  第１上凸部
１１ａ５  第１上通行不能領域
１１ａ６〜１６ａ６  第１貫通孔〜第６貫通孔
１１ａ７〜１６ａ７  第１上ボール置き領域〜第７上ボール置き領域
１１ａ８、１３ａ８  第１上窪み、第３上窪み
１１ｂ１〜１６ｂ１  第１下溝〜第６下溝
１１ｂ２  第１下行き止まり溝
１２ａ５  第２上通行不能領域
１４ｂ２  第４下行き止まり溝
１１ｂ〜１６ｂ  第１下面〜第６下面
１１ｃ１〜１６ｃ１  第１貼り合わせ部材〜第６貼り合わせ部材
１１ｃ２〜１６ｃ２  第１凹み部〜第６凹み部
１４ａ５〜１６ａ５  第４上通行不能領域〜第６上通行不能領域
２０  ボール
３０  保持部
４０  受け皿
４１  側部
４１ａ  中空部
４１ｂ  第１把持孔
４２  底部
４２ａ  底面孔
４２ｂ  第２把持孔
４３  傾き検知部
４４  タイマー
４５  警告部
【図１】
2020130560.tif 000003
【図２】
2020130560.tif 000004
【図３】
2020130560.tif 000005
【図４】
2020130560.tif 000006
【図５】
2020130560.tif 000007
【図６】
2020130560.tif 000008
【図７】
2020130560.tif 000009
【図８】
2020130560.tif 000010
【図９】
2020130560.tif 000011
【図１０】
2020130560.tif 000012
【図１１】
2020130560.tif 000013
【図１２】
2020130560.tif 000014